(57)【要約】本発明は、内燃機関のための電気機械（１０）、特にスタータ装置であって、ハウジング（２８）を有しており、該ハウジング（２８）内に少なくとも１つの磁石（３１）および少なくとも１つの軟鋼（２００）が収容されている形式のものに関する。少なくとも１つの前記磁石（３１）と少なくとも１つの前記軟鋼（２００）とは、環状の位置決め装置（２０８）によって、前記ハウジング（２８）内に少なくとも半径方向で保持され、かつ周方向で保持されている。【選択図】      図２
2014500702.tif 000002
【特許請求の範囲】
【請求項１】
内燃機関のための電気機械（１０）、特にスタータ装置であって、ハウジング（２８）を有しており、該ハウジング（２８）内に少なくとも１つの磁石（３１）および少なくとも１つの軟鋼（２００）が収容されている形式のものにおいて、
少なくとも１つの前記磁石（３１）と少なくとも１つの前記軟鋼（２００）とが、環状の位置決め装置（２０８）によって、前記ハウジング（２８）内に少なくとも半径方向で内方から保持され、かつ周方向で保持されていることを特徴とする、内燃機関のための電気機械（１０）。
【請求項２】
前記環状の位置決め装置（２０８）がハイブリッド構成部分（２２２）として、または２つの別個の構成部分（２２８，２３０）から成る、接合された構成部分として構成されていることを特徴とする、請求項１記載の電気機械。
【請求項３】
前記ハイブリッド構成部分（２２２）が金属製のインサート（２２４）を有しており、該インサート（２２４）がプラスチック射出成形部（２２６）によって包囲されていることを特徴とする、請求項１または２記載の電気機械。
【請求項４】
前記環状の位置決め装置（２０８）が、軸方向の複数の支持面（２１０）と半径方向の複数の支持面（２１２）と、少なくとも１つの磁石（３１）を位置決めするための接線方向の複数の支持面（２１４）とを有していることを特徴とする、請求項１から３までのいずれか１項記載の電気機械。
【請求項５】
前記環状の位置決め装置（２０８）が、複数の軸方向突起（２１８）の領域内に少なくとも１つの軟鋼（２００）を位置決めするための凹部（２２０）を有していることを特徴とする、前記両請求項に記載の電気機械。
【請求項６】
前記環状の位置決め装置（２０８）が、接合された構成部分として構成されており、該構成部分が前記金属リング（２２８）を有していて、該金属リング（２２８）に前記複数の軸方向突起（２１８）が形成されていることを特徴とする、請求項１から５までのいずれか１項記載の電気機械。
【請求項７】
前記金属リング（２２８）に、軸方向の複数の支持面（２１０）と、半径方向の複数の支持面（２１２）と、少なくとも１つの磁石（３１）のための接線方向の複数の支持面（２１４）とが設けられていることを特徴とする、請求項１から６までのいずれか１項記載の電気機械。
【請求項８】
前記金属リング（２２８）の前記複数の軸方向突起（２１８）が、前記少なくとも１つの軟鋼（２００）を位置決めするための複数の凹部（２２０）を有していることを特徴とする、請求項１から７までのいずれか１項記載の電気機械。
【請求項９】
前記環状の位置決め装置（２０８）が、前記ハウジング（２８）内、特に磁極管内に、形状結合または摩擦締結により固定されていることを特徴とする、請求項１から８までのいずれか１項記載の電気機械。
【請求項１０】
前記環状の位置決め装置（２０８）が、前記少なくとも１つの磁石（３１）を軸方向、半径方向および接線方向で位置決めするための複数の当接面（２１０，２１２，２１４）を有していることを特徴とする、請求項１から９までのいずれか１項記載の電気機械。
【発明の詳細な説明】
【背景技術】
【０００１】
特許文献１は、直流発電機、および磁石を直流発電機の磁極ハウジングに固定するための方法に関するものである。磁極ハウジングに磁石保持装置が固定されており、この磁石保持装置に複数の磁石（特に永久磁石）が保持されている。磁石保持装置は、磁極ハウジングの内周壁に固定されていて、環状の保持ケージによって形成されている。保持ケージは、軸方向に延在する連続的なスリットを備えていて、ばね弾性的であって好適には一体的に構成されている。保持ケージは、シート材より製作され、好適には打ち抜き成形され、次いでロール成形によってその環状の形に成形される。特許文献１に記載された保持ケージは、摩擦締結（kraftschluessig）により直流発電機の磁極ハウジング内に保持される。摩擦締結は、環状の形にロール成形された保持ケージの、材料に起因するリセット力に基づいて生ぜしめられ、このようなリセット力は場合によっては、ロール成形された保持ケージの圧縮によってさらに大きくなる。保持ケージは、それぞれ１つの磁石を収容するためのポケットを有している。
【０００２】
従来技術により公知の電気機械においては、高い公差の連鎖（Toleranzkette）、およびそれに付随して現れ、かつ加算される公差の問題がある。例えば磁石、特に永久磁石が、別個のホルダ若しくは保持ばねによって磁極ハウジングの内周面に固定され、特殊な軟鋼が、係止フックを介して、若しくは磁極ハウジングの内周面に設けられた複数の突起に係合する、個別の磁石を収容するための磁石ホルダの開口を介して、複数の部分より構成されていれば、加算される公差の問題が生じる。例えば、しばしば円周角誤差を考慮して互いに組み立てられているブラシと磁石との間に加算される公差は、整流角度が不十分な精度でのみ維持されるか、若しくは非常に大きい公差で維持されるように作用する。しかしながら、電気機械の整流角度を維持する位置に関連した不精確さは、電気機械の電力を必然的に低下させる。従来、複数の部分より構成されていた磁石ホルダが、磁極ハウジング内に加えられる型打ち成形または圧刻成形を介して固定されると、磁石およびブラシの位置精度は、この圧刻成形または型打ち成形の精度によって限定されることになる。磁極ハウジングの材料に型打ち成形を施す際に不精確さが生じるので、この公差は、いずれにしろ非常に長い公差の連鎖に加算されることになる。
【先行技術文献】
【特許文献】
【０００３】
【特許文献１】ドイツ連邦共和国特許公開第１０１４８６５２号明細書
【発明の概要】
【発明が解決しようとする課題】
【０００４】
本発明の目的は、公知の電気機械における磁石のための固定装置を改良することである。
【課題を解決するための手段】
【０００５】
本発明によれば、電気機械に、環状に成形された位置決め装置が装着され、この位置決め装置は、磁石特に装着された永久磁石および軟鋼を、接線方向でも半径方向でも支持し、磁石若しくは軟鋼を位置決めするために従来装着されていたばねとは異なり、改善された位置決めを可能にする。環状に構成された位置決め装置は、特に磁石および軟鋼の初期の組立位置を維持する位置決めを提供し、環状に構成された位置決め装置と電気機械の磁極ハウジングとの間に、可動子状の固定部が形成されていることによって、改善された形状安定性が得られる。このような、好適には環状の位置決め装置と磁極ハウジングとの間の形状結合（形状による束縛）部として構成された固定部は、一方では振動に強く、他方では温度変化にも強い。このことは、連続運転時または短時間運転時においても発生する、電気機械の負荷ピーク時においても、例えばプラスチック材料より製造された環状の位置決め装置、および一般的に金属製のパイプより製造された磁極ハウジングの異なる熱膨張率が、固定の品質に影響を及ぼすことはない、ということである。このような熱膨張率は、環状に構成された位置決め装置によって、磁石も軟鋼も、接線方向および半径方向でその初期の組立位置を維持するように設計されているので、電気機械、特に自動車の内燃機関のためのスタータ装置において電力損失が生じることはない。
【０００６】
実質的に、例えばプラスチックリングとして構成された環状の位置決め装置は、射出成形部としてプラスチック材料より製造され、軸方向にも半径方向にも、また接線方向にも延在する複数の支持面を有するように、構成されている。これらの支持面は、磁石並びに軟鋼を、磁極ハウジング内の初期の組立位置に保持する。
【０００７】
好適には、例えばプラスチックリングより製造され、かつ環状に構成された位置決め装置がスナップ式ロックによって磁極ハウジング内に固定されるようになっているので、一方では位置決め装置を磁極ハウジングに直接組み付けることによって、環状に構成された位置決め装置の規定された組み込み位置が得られ、軟鋼と磁石特に永久磁石との、このような直接的な接触によって、電気機械の磁極ハウジングの内周面における、軟鋼および磁石の初期の組立位置が規定され、かつ持続的に維持される。環状に構成された固定装置をプラスチック構成部分として構成する以外に、この構成部分はハイブリッド装置として製造されてもよい。つまりこの場合、複数部分より構成された環状の固定装置の１つの構成部分はプラスチック構成部分として製造され、別の構成部分は例えば金属材料より製造されてよい。従って例えば、射出成形法によって金属製のリングの周囲にプラスチック材料が射出成形され、この際に、金属製のリングが、ハイブリッド構成部分として構成された環状の位置決め装置に、必要な機械的形状安定性を与える。一方では、プラスチック材料に、好適な形式でハイブリッド部分として構成された環状の位置決め装置の係止部、並びに磁石若しくは軟鋼のための、軸方向、半径方向および接線方向の複数の支持面を形成することができ、これに対して、他方では、本発明によって提案された、環状に構成された位置決め装置を、射出成形法により金属製のリングの周囲をプラスチック材料で包囲するのではなく、２つの別個の構成部分、つまりプラスチックリングと金属製のリングとを提供して、このプラスチックリングと金属製のリングとを組立時に別個の組立ステップで組み立てる可能性も存在する。本発明により提案された環状の固定装置の、以上のような選択的な変化実施例において、２つの部分より構成された環状の位置決め装置の、磁極ハウジングと金属製のリングとの間に、例えばばね弾性的に構成された係止部が得られる。このような係止部は、例えばプラスチック射出成形法により金属製のリングの周囲を取り囲んで形成される係止部と比較して、特に振動発生時に弾性的なばね特性を有している。
【０００８】
以下に図面を用いて本発明を詳しく説明する。
【図面の簡単な説明】
【０００９】
【図１】スタータ装置として構成された電気機械の縦断面図である。
【図１ａ】軟鋼（溶製鋼）と磁石とを保持ばねによって固定するための、従来技術により公知の変化実施例である。
【図１ｂ】磁極ハウジングの内部に挿入された２つの保持リングによって、軟鋼と磁石とを固定するための、やはり従来技術により公知の変化実施例である。
【図２】本発明によって提案された環状の位置決め装置の斜視図である。
【図３】図２に示した、環状に構成された位置決め装置の横から見た斜視図である。
【図４】金属製のリングと射出成形されたプラスチック材料とから成るハイブリッド部分の横から見た図である。
【図５】金属製のリングとプラスチックリングとから成る環状に構成された位置決め装置の選択的な変化実施例である。
【図６】別個の組立構成部分として図５に斜視図で示された、金属リングとプラスチックとから成る構成部分の接合された状態を示す図である。
【図７】金属リングとプラスチックリングとから成る、図６に示した環状の位置決め装置の横から見た図である。
【発明を実施するための形態】
【００１０】
図１には、特にスタータ装置として構成された電気機械の縦断面図が示されている。
【００１１】
図１に示したスタータ装置１０は、例えばスタータモータ１３とトーインアクチュエータ１６とを有しており、該トーインアクチュエータ１６は、例えばスタータリレーあるいはリレーとして構成されていてよい。スタータモータ１３と電気式のトーインアクチュエータ１６とは、共通の駆動軸受終端シールド１９に固定されている。スタータモータ１３は、始動ピニオン２２が図示していない内燃機関のリングギヤ２５内に押し込まれると、始動ピニオン２２を機能的に駆動するために用いられる。
【００１２】
スタータモータ１３は、ハウジングとしての磁極管２８を有しており、この磁極管２８はその内周面に磁極片３１を有していて、この磁極片に、それぞれ励磁コイル３４が巻きつけられている。磁極片３１は可動子３７を包囲しており、可動子３７は、複数の薄片４０より構成された可動子積層鉄心４３と、溝４６内に配置された可動子巻線４９とを有している。可動子積層鉄心４３は駆動軸４４に圧着されている。駆動軸１３の、始動ピニオン２２とは反対側の端部に、さらに整流子５２が取り付けられており、この整流子５２は特に個別の整流子片５５より構成されている。整流子片５５は、公知の形式で、カーボンブラシ５８によって整流子片５５に給電されると、磁極管２８内で可動子３７の回転運動が行われるように、可動子巻線４９に電気的に接続されている。電気的な駆動部とスタータモータ１３との間に配置された電流供給部６１は、スイッチオン状態においてカーボンブラシ５８にも励磁コイル３４にも電流を供給する。駆動軸１３は、整流子側においてジャーナル６４で以って滑り軸受６７内に支えられており、この滑り軸受６７はやはり整流子軸受カバー７０内に定置に保持されている。また整流子軸受カバー７０は、磁極管２８の周囲に分配配置されてよい抗張ロッド７３、例えばねじ、例えば２つ、３つまたは４つの部材によって、駆動軸受終端シールド１９内に固定される。この場合、磁極管２８は駆動軸受終端シールド１９に支えられていて、整流子軸受カバー７０自体は磁極管２８に支えられている。
【００１３】
駆動方向で見て、可動子３７に続いて太陽歯車８０が配置されており、この太陽歯車８０は例えばプラネタリギヤとして構成された遊星歯車装置８３の一部であってよい。太陽歯車８０は、複数の遊星歯車８６、通常は３つの遊星歯車８６によって取り囲まれており、これらの遊星歯車８６はそれ自体が転がり軸受８９によってジャーナル９２上で支えられている。遊星歯車８６はリングギヤ９５内で転動する。リングギヤ９５はその外側が磁極管２８内で支承されている。被駆動側に向かって、遊星歯車８６に遊星歯車支持体９８が続いており、この遊星歯車支持体９８内にジャーナル９２が収容されている。遊星歯車支持体９８は中間軸受１０１内およびこの中間軸受１０１内に配置された滑り軸受１０４内に支承されている。中間軸受１０１は、この中間軸受１０１内に遊星歯車支持体９８も遊星歯車８６も収容されるように、鉢形に構成されている。さらに、鉢形の中間軸受１０１内にリングギヤ１９５が配置されており、このリングギヤ１９５は最終的に、カバー１０７によって可動子３７に対して閉鎖されている。中間軸受１０１はその外周面が磁極管２８の内側に支えられている。可動子３７は、駆動軸１３の、整流子５２とは反対側の端部に、別のジャーナル１１０を有しており、このジャーナル１１０は同様に滑り軸受１１３内に収容されている。滑り軸受１１３は同様に遊星歯車支持体９８の中央孔内に収容されている。遊星歯車支持体９８は、被駆動軸１１６に一体的に結合されている。被駆動軸１１６は、中間軸受１０１とは反対側の端部１１９で以って、駆動軸受終端シールド１１９内に固定された別の軸受１２２内で支えられている。
【００１４】
被駆動軸１１６は、種々異なる区分に分割されている。中間軸受１０１の滑り軸受１０４内に配置された区分に続いて、軸ボス締結部１２８の一部である直歯１２５（内歯列）を備えた区分が配置されている。この実施例では、軸ボス締結部１２８は、連動部材１３１の軸方向で直線的な滑動運動を可能にする。連動部材１３１は、フリーホイール１３７の鉢形のアウタレース１３２に一体的に結合されたスリーブ状の突起部である。フリーホイール１３７は、例えば方向固定装置（Richtgesperre）であってよく、さらにアウタレース１３２の半径方向内方に配置されたインナレース１４０より成っている。インナレース１４０とアウタレース１３２との間に緊締体１３８が配置されている。緊締体１３８は、インナレース１４０およびアウタレース１３２と協働して、第２の方向でのアウタレース１３２とインナレース１４０との間の相対回動を阻止する。言い換えれば、フリーホイール１３７は、インナレース１４０とアウタレース１３２との間の回転する相対運動を一方方向でのみ許容する。この実施例では、インナレース１４０は始動ピニオン２２およびそのはす歯１４３（外歯列）と一体的に構成されている。始動ピニオン２２は、選択的に直歯を備えたピニオンとして構成されていてもよい。励磁コイル３４を備えた電磁的に励磁される磁極片３１の代わりに、永久磁石式に励磁される極、例えば永久磁石３１を使用してもよい。
【００１５】
さらに、電気式のトーインアクチュエータ１６若しくはこのトーインアクチュエータ１６内で直線的に可動な可動子１６８は、引張部材１８７と共に、駆動軸受終端シールド１９内で回転運動可能に配置されたレバー１９０を移動させる課題も有している。一般的な形式でフォークレバーとして構成されたレバー１９０は、図示していない２つの先端で以って２つのディスク１９３若しくは１９４の外周部を把持し、それによってこれら２つのディスク１９３若しくは１９４間に緊締された連動リング１９７をフリーホイール１３７に向かってばね２００の抵抗に抗して移動させ、またそれによって始動ピニオン２２を、図１には図示されていない内燃機関のリングギヤ２５内に押し込むようになっている。
【００１６】
以下に押し込み機構の詳細について説明する。電気式のトーインアクチュエータ１６はピン１５０を有しており、このピン１５０は電気的な接点を形成していて、車両に組み込まれている場合に、図１に図示されていない電気式のスタータ用バッテリのプラスターミナルに接続されている。ピン１５０は、カバー１５３を貫通している。第２のピン１５２は、電気式のスタータモータ１３のための接続部を形成しており、この接続部に電源供給部６１（太いリッツ線）を介して給電される。カバー１５３は、鋼より成るハウジング１５６を閉鎖しており、このハウジング１５６は、例えばねじとして構成されていてよい複数の固定部材１５９によって、駆動軸受終端シールド１９に固定されている。電気的なトーインアクチュエータ１６内に、フォークレバー１９０に引張力を加えるためのスラスト装置１６０並びにスイッチ装置１６１が配置されている。スラスト装置１６０は巻線１６２を有していて、スイッチ装置１６１は巻線１６５を有している。スラスト装置１６０の巻線１６２およびスイッチ装置１６１の巻線１６５は、スイッチオンされた状態でそれぞれ、様々な構成部分を貫流する磁界を生ぜしめる。軸ボス締結部１２８は、直歯１２５の代わりに並目ねじ形噛み合い（Steilgewindeverzahnung）を備えていてもよい。この場合、次の組み合わせが可能である。つまりａ）始動ピニオン２２がはす歯を備えていて、軸ボス締結部１２８が直歯１２５を備えているか、またはｂ）始動ピニオン２２がはす歯を備えていて、軸ボス締結部１２８が並目ねじ形噛み合いを有しているか、またはｃ）始動ピニオン２２が直歯を備えていて、軸ボス締結部１２８が並目ねじ形噛み合いを有している。
【００１７】
図１ａは、磁極ハウジング内における磁石と軟鋼のための、従来技術により公知の固定可能性を示す。
図１ａに示したハウジング２８は、電気機械１０の磁極管を示す。ハウジング２８の内側に、例えば永久磁石３１または磁極片３１が収容されており、これらの永久磁石または磁極片３１は励磁コイル３４を有している。図１ａに示した分解図によれば、各磁石間に、軟鋼２００が配置されていて、実質的に軸方向に延在する保持ばね２０２が電気機械のハウジングの内周面に配置されている。このハウジングは、特に内燃機関のためのスタータ装置として構成された電気機械の磁極管２８である。
【００１８】
図１ｂは、電気機械のハウジングに磁石若しくは軟鋼を固定するための別の実施例を示す。
図１ｂに示した分解図によれば、電気機械のハウジング２８つまり磁極管内に、磁石３１つまり電気機械の固定子が示されており、これらの磁石３１は、例えば第１の保持リング１０４および第２の保持リング２０６によって固定されている。周方向で互いに間隔を保って配置された、励磁コイルを有する永久磁石若しくは磁極片（符号３１参照）間に、ロッド状に構成された軟鋼２００が設けられている。励磁コイルを有する永久磁石若しくは磁極片も、軟鋼２００も、第１の保持リング２０４および第２の保持リング２０６によって、電気機械のハウジングの内周面に固定される。
【００１９】
図２には、本発明に従って提案された環状の位置決め装置の斜視図が示されている。
図２に斜視図で示された環状の位置決め装置２０８は、一方では、プラスチック射出成形部２２６によって包囲された金属製のインサート２２４を有するハイブリッド構成部分として提供され得る（図２、図３および図４参照）。
【００２０】
図５、図６および図７には、環状の位置決め装置２０８の変化実施例が示されており、この位置決め装置２０８は、２つの別個の構成部分つまり金属リング２２８とプラスチックリング２３０とから製造されており、この金属リング２２８とプラスチックリング２３０とは、組み立てられた状態で１つの接合された構成部分、つまり環状の位置決め装置２０８を形成する。
【００２１】
図２に示した斜視図によれば、ここではハイブリッド構成部分２２２として製造された環状の位置決め装置２０８が軸方向の支持面２１０を有している。軸方向の支持面２１０は、環状のリングを形成しており、このリングの内側に電気機械１０の固定子の磁石３１が当接する。これによって電気機械が軸方向で固定されている。軸方向の支持面２１０の各セグメントは、周方向で例えば６０°に分割して配置されおり（符号２１６参照）、これらのセグメントは、磁石３１の周方向の寸法に相当する。さらに、図２の斜視図によれば環状の位置決め装置２０８は、軸方向に延在する軸方向突起２１８を有している。これらの軸方向突起の内側つまり磁石３１に面した側に、接線方向の支持面２１４が形成されている。さらに、環状の位置決め装置２０８は図２に示した斜視図によれば、環状に延在する半径方向の支持面２１２を有しており、この支持面２１２は、磁石３１をハウジング２８内に組み込んだ状態で磁石３１をハウジング２８の内周面に固定する。本発明に従って提案された環状の位置決め装置２０８（ここではハイブリッド構成部分２２２として構成されている）は、磁石３１が軸方向に半径方向でも接線方向でも電気機械１０の磁極管２８の内周面に固定されることを保証する。また、軸方向突起２１８は凹部２２０を備えている。凹部２２０は、略溝状に構成されていて、各磁石３１間で磁極管２８の内周面に固定されている軟鋼２００の幾何学形状に相当する。
【００２２】
図３には同様に、この変化実施例においてハイブリッド構成部分として製造され環状に構成された位置決め装置の斜視図が示されている。図３に示した斜視図によれば、６０°に分割して配置された個別の軸方向突起２１８が、軟鋼２００を位置決めするための凹部２２０をそれぞれ１つ有している。符号２１０によって軸方向の支持面が示され、符号２１２によって、環状の位置決め装置２０８の内側に連続的に形成された半径方向の支持面２１２が示されている。
【００２３】
図４は、環状の位置決め装置の断面図を示す。
図４に断面図で示された環状の位置決め装置２０８は、ハイブリッド構成部分２２２として構成されており、このハイブリッド構成部分２２２においては、環状の位置決め装置２０８に必要な機械的形状安定性を与えるための金属製のインサート２２４が、プラスチック射出成形部２２６に埋め込まれている。プラスチック射出成形部２２６には、軸方向突起２１８が６０°に分割して配置されており、この分割に応じて、軟鋼２００も磁石３１もハウジング２８の内周面に固定される。
【００２４】
図５、図６および図７には、本発明に従って提案された環状の位置決め装置の変化実施例が示されている。
図５に示されているように、この実施例では、環状の位置決め装置２０８が２つの構成部分より製造されている。一方は金属リング２２８であり、この金属リング２２８はプラスチックリング２３０に接合される。図５の分解図には金属リング２２８が示されており、この金属リング２２８は、軸方向突起２１８（６０°に分割されている）を有しており、さらに内側に形成された環状に延在する半径方向の支持面２１２と、電気機械の固定子の励磁コイル３４を備えた永久磁石若しくは磁極片３１のための軸方向の支持面２１０とを有している。
【００２５】
図５に示した金属リング２２８にプラスチックリング２３０が接合され、このプラスチックリング２３０は、金属リング２２８の軸方向突起２１８の領域に、電気機械１０のハウジング２８の内周面に対する永久磁石の相対運動を阻止するための接線方向の支持面２１４を有している。
【００２６】
図６は、図５においてまだ分離されている２つの別個の構成部分、つまり金属リング２２８とプラスチックリング２３０とが接合された状態を示す。
【００２７】
図７は、図６に示した、組み立てられた環状の位置決め装置２０８の断面図を示す。図７の断面図から、金属リング２２８とプラスチックリング２３０とが当接面２３４に沿って互いに当接していることが分かる。
【００２８】
本発明に従って提案された環状の位置決め装置２０８の２つの変化実施例によれば、特に磁極管２８として構成された電気機械１０のハウジングの内周面に、一方では永久磁石および軟鋼２００または他方では励磁コイル３４の磁極片３１が電気機械の運転中に初期の組み込み位置から外れることなしに固定されるようになっているので、電気機械のスタータの始動時出力を、軟鋼２００若しくは永久磁石３１の相対運動に基づいて低下させることができる。
【符号の説明】
【００２９】
１０  スタータ装置、電気機械
１３  スタータモータ
１６  トーインアクチュエータ
１９  駆動軸受終端シールド
２２  始動ピニオン
２５  リングギヤ
２８  磁極管、ハウジング
３１  磁極片、永久磁石、磁石
３４  励磁コイル
３７  可動子
４０  薄片
４３  可動子積層鉄心
４４  駆動軸
４９  可動子巻線
５２  整流子
５５  整流子片
５８  カーボンブラシ
６１  電源供給部
６４  ジャーナル
６７  滑り軸受
７０  整流子軸受カバー
７３  抗張ロッド
８０  太陽歯車
８３  遊星歯車装置
８６  遊星歯車
８９  転がり軸受
９５  リングギヤ
９８  遊星歯車支持体
１０１  中間軸受
１０４  滑り軸受
１０７  カバー
１１０  別のジャーナル
１１３  滑り軸受
１１６  被駆動軸
１１９  端部
１２５  直歯
１２８  軸ボス締結部
１３１  連動部材
１３２  アウタレース
１３８  緊締体
１４０  インナレース
１５０  ピン
１５２  第２のピン
１５３  カバー
１５６  ハウジング
１５９  固定部材
１６０  スラスト装置
１６１  スイッチ装置
１６８  可動子
１８７  引張部材
１９０  レバー、フォークレバー
１９７  連動リング
２００  軟鋼
２０２  保持ばね
２０４  第１の保持リング
２０６  第２の保持リング
２０８  位置決め装置
２１０  支持面
２１２  支持面
２１４  支持面
２１８  軸方向突起
２２０  凹部
２２２  ハイブリッド構成部分
２２４  インサート
２２６  プラスチック射出成形部
２２８  金属リング
２３０  プラスチックリング
２３４  当接面
【図１】
2014500702.tif 000003
【図１ａ】
2014500702.tif 000004
【図１ｂ】
2014500702.tif 000005
【図２】
2014500702.tif 000006
【図３】
2014500702.tif 000007
【図４】
2014500702.tif 000008
【図５】
2014500702.tif 000009
【図６】
2014500702.tif 000010
【図７】
2014500702.tif 000011
【手続補正書】
【提出日】平成25年8月8日(2013.8.8)
【手続補正１】
【補正対象書類名】特許請求の範囲
【補正対象項目名】全文
【補正方法】変更
【補正の内容】
【特許請求の範囲】
【請求項１】
内燃機関のための電気機械（１０）であって、ハウジング（２８）を有しており、該ハウジング（２８）内に少なくとも１つの磁石（３１）および少なくとも１つの軟鋼（２００）が収容されている形式のものにおいて、
少なくとも１つの前記磁石（３１）と少なくとも１つの前記軟鋼（２００）とが、環状の位置決め装置（２０８）によって、前記ハウジング（２８）内に半径方向で内方から保持され、かつ周方向で保持されていることを特徴とする、内燃機関のための電気機械（１０）。
【請求項２】
前記環状の位置決め装置（２０８）がハイブリッド構成部分（２２２）として、または２つの別個の構成部分（２２８，２３０）から成る、接合された構成部分として構成されていることを特徴とする、請求項１記載の電気機械。
【請求項３】
前記ハイブリッド構成部分（２２２）が金属製のインサート（２２４）を有しており、該インサート（２２４）がプラスチック射出成形部（２２６）によって包囲されていることを特徴とする、請求項１または２記載の電気機械。
【請求項４】
前記環状の位置決め装置（２０８）が、軸方向の複数の支持面（２１０）と半径方向の複数の支持面（２１２）と、少なくとも１つの磁石（３１）を位置決めするための接線方向の複数の支持面（２１４）とを有していることを特徴とする、請求項１から３までのいずれか１項記載の電気機械。
【請求項５】
前記環状の位置決め装置（２０８）が複数の軸方向突起（２１８）を有し、前記複数の軸方向突起（２１８）の領域内に少なくとも１つの軟鋼（２００）を位置決めするための凹部（２２０）を有していることを特徴とする、請求項１から４までのいずれか１項記載の電気機械。
【請求項６】
前記環状の位置決め装置（２０８）が、接合された構成部分として構成されており、該構成部分が金属リング（２２８）を有していて、該金属リング（２２８）に複数の軸方向突起（２１８）が形成されていることを特徴とする、請求項１から５までのいずれか１項記載の電気機械。
【請求項７】
前記金属リング（２２８）に、軸方向の複数の支持面（２１０）と、半径方向の複数の支持面（２１２）と、少なくとも１つの磁石（３１）のための接線方向の複数の支持面（２１４）とが設けられていることを特徴とする、請求項６記載の電気機械。
【請求項８】
前記金属リング（２２８）は複数の軸方向突起（２１８）を有し、前記複数の軸方向突起（２１８）が、前記少なくとも１つの軟鋼（２００）を位置決めするための複数の凹部（２２０）を有していることを特徴とする、請求項６または７記載の電気機械。
【請求項９】
前記環状の位置決め装置（２０８）が、前記ハウジング（２８）内に、形状結合または摩擦締結により固定されていることを特徴とする、請求項１から８までのいずれか１項記載の電気機械。
【請求項１０】
前記環状の位置決め装置（２０８）が、前記少なくとも１つの磁石（３１）を軸方向、半径方向および接線方向で位置決めするための複数の当接面（２１０，２１２，２１４）を有していることを特徴とする、請求項１から９までのいずれか１項記載の電気機械。
【請求項１１】
前記電気機械が、スタータ装置であることを特徴とする、請求項１から１０までのいずれか１項記載の電気機械。
【国際調査報告】
2014500702.tif 000012
2014500702.tif 000013
2014500702.tif 000014
2014500702.tif 000015